(57)【要約】　　　（修正有）【課題】組立、分解が迅速で、各種の異なる規格の軸受及び毀損して抜き取りにくい軸受に適用される軸受抜き取り器の提供。【解決手段】係止体連結体２０及び抜き取り体を具え、連結体２０が係止体内に挿入され、係止体の結合座１３がクイックコネクタ３２に快速結合され、連結体２０の一端の直棒２１が係止凸縁１１２の係止溝１１１を貫通し、もう一端の凹環２３が抜き取り体のクイックコネクタ３２に快速結合される。【選択図】　　　　図２
2004025430.tif 000002
【特許請求の範囲】
【請求項１】
係止体、連結体、抜き取り体を具え、係止体内に連結体が挿入され並びに抜き取り体と連接された後に、係止体の一端の係止ブロックが軸受抜き取りに供される軸受抜き取り器において、
係止体が二つの係止ブロック、結合スリーブ、結合座及びクイックコネクタで組成され、係止ブロックの一端が係止凸縁とされ、別端が係止リングとされ、中間外縁が凹溝とされ、二つの係止凸縁が結合スリーブの貫通孔外に突出し、係止リングが結合スリーブの中段の円溝内に係止され、該結合スリーブが結合座に螺子止めされ、結合座とクイックコネクタが快速結合され、連結体が係止体内を貫通し、その一端の直棒が係止凸縁の係止溝端を貫通し、もう一端の凹環が抜き取り体のクイックコネクタと瞬間結合され、以上で形成された抜き取り器が迅速に組立、分解できるものとされ、他の補助工具を使用せずに軸受を抜き取ることができることを特徴とする、軸受抜き取り器。
【請求項２】
請求項１に記載の軸受抜き取り器において、二つの係止体外の凹溝に係止リング、ワッシャ、Ｃ形クリップ、バネ及び係止リングが套設され、結合スリーブと結合座の間に順に挿入されたことを特徴とする、軸受抜き取り器。
【請求項３】
請求項１に記載の軸受抜き取り器において、結合座の外縁にバネが套設され、それが囲むスチールボール孔内にスチールボールが嵌め込まれ、一端の嵌め溝がＣ形の緊止条で緊止され、クイックコネクタが結合座外縁に套設されて係止体が形成されたことを特徴とする、軸受抜き取り器。
【請求項４】
請求項１に記載の軸受抜き取り器において、連結体が係止体内に挿入固定され、その中段の凹環に結合座のスチールボールが挿入され、もう一端の凹環に別端のクイックコネクタの結合座内のスチールボールが嵌め込まれたことを特徴とする、軸受抜き取り器。
【請求項５】
請求項１に記載の軸受抜き取り器において、抜き取り体が連接棒、クイックコネクタ、衝撃ブロック、抜き取り棒及びレバーで組成され、連接棒の一端のスクリューロッドが抜き取り棒の一端のネジ孔内にねじ込まれ、抜き取り棒中段の穿孔にレバーが嵌め止めされ、抜き取り棒の一端のストッパブロックが衝撃ブロックの衝撃による軸受抜き取りに供されることを特徴とする、軸受抜き取り器。
【請求項６】
請求項１に記載の軸受抜き取り器において、係止ブロックの係止凸縁の係止溝近くの平坦部が軸受外環体のスチールボール溝内に挿入されて軸受の抜き取りに供されることを特徴とする、軸受抜き取り器。
【請求項７】
請求項１に記載の軸受抜き取り器において、二つの係止ブロックの一端に係止座が嵌合され、ボルトが係止座の座孔を貫通して係止ブロックのネジ孔にねじ込まれ、係止座の一端の係止凸縁が軸受外環体に嵌め込まれて軸径が大きく且つ既に毀損した軸受の抜き取りに供されることを特徴とする、軸受抜き取り器。
【発明の詳細な説明】
【０００１】
【発明の属する技術分野】
本発明は一種の軸受抜き取り器に係り、特に、組立、分解を速やかに行え、且つ各種の異なる規格の軸受に適用でき、軸受損壊時に、簡単に毀損した軸受を抜き取ることができる、軸受抜き取り器に関する。
【０００２】
【従来の技術】
一般に機構の軸受は駆動手段と固定手段の間に設置されて、駆動手段と固定手段の連結手段とされ、並びに両者の摩擦を受け、このため軸受の摩擦は回避できない。ゆえに定期的に軸受のメンテナンスと交換が必要となる。しかし軸受と軸受座の間の結合は相当に緊密であり、且つ空間上の制限のために、軸受抜き取り作業は相当に不便であり、特殊な抜き取り工具を使用しなければならない。
【０００３】
市販されている周知の軸受抜き取り器の種類は多いが、ほとんどがサポートフレーム構造に、プルロッド、制圧体等の構造が設けられ、係止体を軸受孔に挿入し、さらにスパナでプルロッドを回し、軸受を抜き取る。しかし一般に周知の係止片の構造断面は非常に小さく、抜き取り時に受ける応力は極めて高いために、断裂しやすい。且つ周知の軸受抜き取り器を組み立てる時はスパナ等の補助工具を必要とし、組立、分解に手間取り、且つ異なる規格の軸受に対しては異なる抜き取り工具を準備しなければならず、規格化できず、軸受が毀損して軸受外環体のみが残された時は、順調に毀損した軸受を抜き取ることができない。
【０００４】
【発明が解決しようとする課題】
本発明は従来の欠点を解決した軸受抜き取り器を提供することを目的とし、それは、クイックコネクタのような快速組立手段を利用し、他の補助工具を使用せずに速やかに組み立てる、或いは分解でき、その二対の分離式係止ブロックの係止凸縁の構造断面は断裂しにくく抜き取り器の使用寿命を確保するものとする。
【０００５】
本発明の別の目的は、一種の軸受抜き取り器を提供することにあり、それは、各種の異なる規格の軸受に適用でき、製品を規格化でき、経済性を有するようにしたものとする。
【０００６】
本発明のさらに別の目的は、一種の軸受抜き取り器を提供することにあり、それは軸受の毀損が厳重で軸受外環体のみが残された場合の軸受抜き取りも行えるようにしたものとする。
【０００７】
【課題を解決するための手段】
請求項１の発明は、係止体、連結体、抜き取り体を具え、係止体内に連結体が挿入され並びに抜き取り体と連接された後に、係止体の一端の係止ブロックが軸受抜き取りに供される軸受抜き取り器において、
係止体が二つの係止ブロック、結合スリーブ、結合座及びクイックコネクタで組成され、係止ブロックの一端が係止凸縁とされ、別端が係止リングとされ、中間外縁が凹溝とされ、二つの係止凸縁が結合スリーブの貫通孔外に突出し、係止リングが結合スリーブの中段の円溝内に係止され、該結合スリーブが結合座に螺子止めされ、結合座とクイックコネクタが快速結合され、連結体が係止体内を貫通し、その一端の直棒が係止凸縁の係止溝端を貫通し、もう一端の凹環が抜き取り体のクイックコネクタと瞬間結合され、以上で形成された抜き取り器が迅速に組立、分解できるものとされ、他の補助工具を使用せずに軸受を抜き取ることができることを特徴とする、軸受抜き取り器としている。
請求項２の発明は、請求項１に記載の軸受抜き取り器において、二つの係止体外の凹溝に係止リング、ワッシャ、Ｃ形クリップ、バネ及び係止リングが套設され、結合スリーブと結合座の間に順に挿入されたことを特徴とする、軸受抜き取り器としている。
請求項３の発明は、請求項１に記載の軸受抜き取り器において、結合座の外縁にバネが套設され、それが囲むスチールボール孔内にスチールボールが嵌め込まれ、一端の嵌め溝がＣ形の緊止条で緊止され、クイックコネクタが結合座外縁に套設されて係止体が形成されたことを特徴とする、軸受抜き取り器としている。
請求項４の発明は、請求項１に記載の軸受抜き取り器において、連結体が係止体内に挿入固定され、その中段の凹環に結合座のスチールボールが挿入され、もう一端の凹環に別端のクイックコネクタの結合座内のスチールボールが嵌め込まれたことを特徴とする、軸受抜き取り器としている。
請求項５の発明は、請求項１に記載の軸受抜き取り器において、抜き取り体が連接棒、クイックコネクタ、衝撃ブロック、抜き取り棒及びレバーで組成され、連接棒の一端のスクリューロッドが抜き取り棒の一端のネジ孔内にねじ込まれ、抜き取り棒中段の穿孔にレバーが嵌め止めされ、抜き取り棒の一端のストッパブロックが衝撃ブロックの衝撃による軸受抜き取りに供されることを特徴とする、軸受抜き取り器としている。
請求項６の発明は、請求項１に記載の軸受抜き取り器において、係止ブロックの係止凸縁の係止溝近くの平坦部が軸受外環体のスチールボール溝内に挿入されて軸受の抜き取りに供されることを特徴とする、軸受抜き取り器としている。
請求項７の発明は、請求項１に記載の軸受抜き取り器において、二つの係止ブロックの一端に係止座が嵌合され、ボルトが係止座の座孔を貫通して係止ブロックのネジ孔にねじ込まれ、係止座の一端の係止凸縁が軸受外環体に嵌め込まれて軸径が大きく且つ既に毀損した軸受の抜き取りに供されることを特徴とする、軸受抜き取り器としている。
【０００８】
【発明の実施の形態】
各図に示されるように、本発明は係止体１０、連結体２０、抜き取り体３０の構成要件に、緊止リング４０、ワッシャ４１、Ｃ形クリップ４２、バネ５１、５４、係止リング５２、スチールボール５３及び緊止条５５等の部品が組み合わされてなる。そのうち係止体１０は相互に対称な左右の係止ブロック１１、結合スリーブ１２、結合座１３及びクイックコネクタ１４を具え、各係止ブロック１１内縁に半円形の係止溝１１１が設けられ、係止ブロック１１の一端は係止凸縁１１２とされ、別端は係止リング１１４とされ、中間外縁に半円形の凹溝１１３がある。図２、４を参照されたい。二つの係止ブロック１１はＣ形の緊止リング４０により緊合させられた後、結合スリーブ１２の貫通孔１２１内に挿入され、係止凸縁１１２の軸径は貫通孔１２１外に突出するよう設けられ、係止リング１１４の軸径は結合スリーブ１２中段の円溝１２２内に係止されるよう設けられ、円溝１２２内にさらにワッシャ４１、Ｃ形クリップ４２、バネ５１及び係止リング５２が置かれ、結合スリーブ１２と結合座１３が螺合され、結合座１３の一端にもう一つのバネ５４が挿入されてその一端が巻かれた複数のスチールボール孔１３１にそれぞれスチールボール５３が置かれ、上端の嵌め溝１３２がＣ形の緊止条５５により緊止される。クイックコネクタ１４は結合座１３の外縁に套設され、そのストッパ辺１４１がスチールボール５３の運動を制限し、以上で図３のような係止体１０が形成されている。
【０００９】
階段状を呈する連結体２０は係止体１０内に置かれ、その一端の直棒２１が係止凸縁１１２の係止溝１１１端まで貫通し、中段の凹環２２にスチールボール５３が嵌入し、もう一端の凹環２３にもう一端の抜き取り体３０のクイックコネクタ３２内の結合座のスチールボールが嵌入する（もう一つの結合座１３の構造と同じであるため図示しない。）。
【００１０】
抜き取り体３０は連接棒３１、クイックコネクタ３２、衝撃ブロック３３、抜き取り棒３４及びレバー３５で組成されている。そのうち連接棒３１の一端のスクリューロッド３１１は抜き取り棒３４の一端のネジ孔３４１内にねじ込まれ、抜き取り棒３４中段の穿孔３４２に連接棒３１が嵌着され、抜き取り棒３４のネジ孔３４１に近い端部にストッパブロック３４３があり、衝撃ブロック３３が穿孔３３１で連接棒３１に套設され且つ不断に該ストッパブロック３４３に衝撃を与え、これにより軸受抜き取りを行う。
【００１１】
図６は、係止体１０の二つの分離式の係止ブロック１１の係止凸縁１１２に結合スリーブ１２が未套設の時の端面図である。図５は二つの係止ブロック１１に結合スリーブ１２が套設され並びに緊止リング４０により緊止された状態の部分構造断面図である。図７、８も参照されたい。本発明は実際の使用時に、まず二つの係止ブロック１１が内向きに圧縮され、二つの係止凸縁１１２の係止溝１１１近くの平坦部１１２１の設計により、係止ブロック１１が軸受６０の内孔６０１内に挿入可能とされ（該内孔６０１には既に磨損が発生している）、係止体１０の直棒２１が係止凸縁１１２の係止溝１１１内に進入し、並びに係止凸縁１１２を外向きに拡張させ、係止ブロック１１の係止凸縁１１２が軸受６０の内孔６０１を貫通した後、軸受６０の内孔６０１の周縁を係止し、衝撃ブロック３３の衝撃により抜き取り体３０が上に移動し、軸受６０が抜き取られる。
【００１２】
軸受座７０内の軸受６０が毀損して僅かに軸受外環体６０２のみが残されている時（軸受内のスチールボールも脱落している）、図９に示されるように、本発明は連結体２０の直棒２１を係止凸縁１１２の係止溝１１１内に進入させて、係止凸縁１１２の外側の平坦部１１２１を軸受外環体６０２のスチールボール溝内に嵌め込み、さらに衝撃ブロック３３の衝撃により抜き取り体３０を上に移動させることにより、軸受座７０内に置かれていた軸受外環体６０２を抜き取ることができる。
【００１３】
さらに、図１０及び図１１の実施例図に示されるように、軸受座７０内の軸受６０が軸径の大きな規格で且つ毀損が厳重であって、図９に示される抜き取り工具を使用しても抜き取れない場合は、本発明は二つの係止ブロック１１の一端にそれぞれ平坦な半円形の係止座１５を套設し、並びに適量のボルト１６を係止座１５の座孔１５１に挿入してそれぞれ係止ブロック１１のネジ孔内にねじ込み、該係止座１５の一端に設けられた係止凸縁１５２をそれぞれ軸受の外環体に嵌め込み、係止凸縁１５２に設けられた平坦部１５２１を利用することにより、軸受を抜き取ることができる。
【００１４】
【発明の効果】
総合すると、本発明の軸受抜き取り器の構造は、他の補助着脱工具を使用することなく、本発明自身の部品により快速に組み立てられ、且つ本発明は各種の異なる規格の軸受及び破損して取り外しにくい軸受に適用でき、その実用機能は明らかであり、また本発明の構造は未だ公開されておらず新規性を有しており、ゆえに本発明は特許の要件に符合する。
【図面の簡単な説明】
【図１】本発明の外観図である。
【図２】本発明の分解斜視図である。
【図３】本発明の部分分解図である。
【図４】本発明の断面図である。
【図５】本発明の係止体の断面図である。
【図６】本発明の係止ブロックの平面図である。
【図７】本発明の係止体が軸受内孔に挿入された状態の端面表示図である。
【図８】本発明の実施例図である。
【図９】本発明のもう一つの実施例図である。
【図１０】本発明のさらにもう一つの実施例図である。
【図１１】本発明のさらにまたもう一つの実施例図である。
【符号の説明】
１０　係止体　　　　　１１　係止ブロック
１１１　係止溝　　　　１１２　係止凸縁
１１２１　平坦部　　　１１３　凹溝
１１４　係止リング　　１２　結合スリーブ
１２１　貫通孔
１２２　円溝　　　　　１３　結合座
１３１　スチールボール孔　　　　　１３２　嵌め溝
１４　クイックコネクタ　　　　　　１４１　ストッパ辺
１５　係止座　　　　　　　　　　　１５１　座孔
１５２　係止凸縁　　　　　　　　　１５２１　平坦部
１６　ボルト　　　　　　　　　　　２０　連結体
２１　直棒　　　　　　　　　　　　２２　凹環
２３　凹環　　　　　　　　　　　　３０　抜き取り体
３１　連接棒　　　　　　　　　　　３１１　スクリューロッド
３２　クイックコネクタ　　　　　　３３　衝撃ブロック
３３１　穿孔　　　　　　　　　　　３４　抜き取り棒
３４１　ネジ孔　　　　　　　　　　３４２　穿孔
３４３　ストッパブロック　　　　　３５　レバー
４０　緊止リング　　　　　　　　　４１　ワッシャ
４２　Ｃ形クリップ　　　　　　　　５１　バネ
５２　係止リング　　　　　　　　　５３　スチールボール
５４　バネ　　　　　　　　　　　　５５　緊止条
６０　軸受　　　　　　　　　　　　６０１　内孔
６０２　軸受外環体　　　　　　　　７０　軸受座
【図１】
2004025430.tif 000003
【図２】
2004025430.tif 000004
【図３】
2004025430.tif 000005
【図４】
2004025430.tif 000006
【図５】
2004025430.tif 000007
【図６】
2004025430.tif 000008
【図７】
2004025430.tif 000009
【図８】
2004025430.tif 000010
【図９】
2004025430.tif 000011
【図１０】
2004025430.tif 000012
【図１１】
2004025430.tif 000013